(57)【要約】【課題】コンパクトな携帯性を実現しつつ、使用者が吸収性に対する安心感を得ることができる吸収性物品を提供する。【解決手段】吸収性物品１は、吸収体３０、吸収体の肌対向面側に配置されたトップシート１０、吸収体の非肌対向面側に配置されたバックシート２０を有し、吸収性物品を折り畳むための第１折り線ＦＬ１及び第２折り線ＦＬ２が長手方向に沿って形成されている。トップシートは、幅方向の両側において、折り返し線１２によって折り返された折り返し部１１を有する。折り返し線は、吸収体の外側縁よりも幅方向の外側に位置する。折り返し部の先端１１Ｅは、吸収体の外側縁よりも幅方向の内側に位置する。第１折り線及び第２折り線は、折り返し線よりも幅方向の外側に位置する。【選択図】図１
2018000302.tif 000002
【特許請求の範囲】
【請求項１】
長手方向、幅方向及び厚さ方向と、
吸収体、前記吸収体の肌対向面側に配置されたトップシート、前記吸収体の非肌対向面側に配置されたバックシートを有し、
吸収性物品を折り畳むための第１折り線及び第２折り線が前記長手方向に沿って形成された吸収性物品であって、
前記トップシートは、前記幅方向の両側において、折り返し線によって折り返された折り返し部を有し、
前記折り返し線は、前記吸収体の外側縁よりも前記幅方向の外側に位置し、
前記折り返し部の先端は、前記吸収体の外側縁よりも前記幅方向の内側に位置し、
前記第１折り線及び前記第２折り線は、前記折り返し線よりも前記幅方向の外側に位置する、吸収性物品。
【請求項２】
前記折り返し線と前記吸収体の外側縁の間には、前記トップシート同士が厚さ方向において重なり、かつ前記トップシート同士が接合されていない領域が設けられている、請求項１に記載の吸収性物品。
【請求項３】
前記トップシートの前記折り返し部が前記バックシートに接合されていない領域を有する、請求項１又は請求項２に記載の吸収性物品。
【請求項４】
前記折り返し線と前記吸収体の外側縁の間に配置される前記トップシートのうち肌対向面側に位置する前記トップシートのみには、肌面圧搾部が形成されている、請求項１から請求項３のいずれかに記載の吸収性物品。
【請求項５】
前記吸収体と前記トップシートに形成された吸収体圧搾部を有し、
前記肌面圧搾部の前記厚さ方向の深さは、前記吸収体圧搾部の前記厚さ方向の深さよりも浅い、請求項４に記載の吸収性物品。
【請求項６】
前記吸収体と前記トップシートの間に設けられたセカンドシートを有し、
前記セカンドシートは、前記吸収体の外側縁よりも前記幅方向の外側に延出している、請求項１から請求項５のいずれかに記載の吸収性物品。
【請求項７】
前記セカンドシートは、前記折り返し線によって折り返された折り返し部を有する、請求項６に記載の吸収性物品。
【発明の詳細な説明】
【技術分野】
【０００１】
本発明は、生理用ナプキン等の吸収性物品に関する。
【背景技術】
【０００２】
特許文献１は、吸収性物品を折り畳むための第１折り線及び第２折り線が長手方向に沿って形成された吸収性物品を開示している。吸収性物品は、長手方向に沿う第１折り線及び第２折り線によって折り畳まれた状態において、折り畳まれていない展開した状態と比較して幅方向の長さが短くなり、コンパクトな携帯性を実現できる。特許文献１の第１折り線及び第２折り線は、吸収体の側部に形成されている。
【先行技術文献】
【特許文献】
【０００３】
【特許文献１】特開平９−２６６９２８号公報
【発明の概要】
【発明が解決しようとする課題】
【０００４】
使用者は、折り畳まれた吸収性物品を展開した際に、吸収性物品の表面を確認し、吸収性に対する安心感を得る。そのとき、使用者は、特に吸収性に直接的に関係する吸収体の大きさや形状を確認する。
【０００５】
特許文献１の吸収性物品は、吸収体の側部に第１折り線及び第２折り線が形成されている。使用者は、第１折り線及び第２折り線による折り癖によって吸収体の側部を視認し難くなり、吸収体の幅方向の長さを実際の長さよりも短いと認識することがあった。そのため、使用者は、吸収性に対する安心感を得難いことがあった。
【０００６】
本発明は、上述の課題に鑑みてなされたものであり、コンパクトな携帯性を実現しつつ、使用者が吸収性に対する安心感を得ることができる吸収性物品を提供することを目的とする。
【課題を解決するための手段】
【０００７】
本開示に係る吸収性物品（吸収性物品１）は、長手方向（長手方向Ｌ）、幅方向（幅方向Ｗ）及び厚さ方向（厚さ方向）と、吸収体(吸収体３０)、前記吸収体の肌対向面側に配置されたトップシート（トップシート１０）、前記吸収体の非肌対向面側に配置されたバックシート（バックシート２０）を有し、吸収性物品を折り畳むための第１折り線（第１折り線ＦＬ１）及び第２折り線（第２折り線ＦＬ２）が前記長手方向に沿って形成された吸収性物品であって、前記トップシートは、前記幅方向の両側において、折り返し線（折り返し線１２）によって折り返された折り返し部（折り返し部１１）を有し、前記折り返し線は、前記吸収体の外側縁よりも前記幅方向の外側に位置し、前記折り返し部の先端（先端１１Ｅ）は、前記吸収体の外側縁よりも前記幅方向の内側に位置し、前記第１折り線及び前記第２折り線は、前記折り返し線よりも前記幅方向の外側に位置することを要旨とする。
【発明の効果】
【０００８】
本発明に係る吸収性物品によれば、コンパクトな携帯性を実現しつつ、使用者が吸収性に対する安心感を得ることができる。
【図面の簡単な説明】
【０００９】
【図１】一実施形態における吸収性物品の平面図である。
【図２】図１に示すＡ−Ａ線に沿った吸収性物品の断面図である。
【図３】図１に示す吸収性物品の折り畳み態様を説明するための図である。
【図４】変形例に係る吸収性物品の断面図である。
【発明を実施するための形態】
【００１０】
本明細書及び添付図面の記載により、少なくとも以下の事項が明らかとなる。
長手方向、幅方向及び厚さ方向と、
吸収体、前記吸収体の肌対向面側に配置されたトップシート、前記吸収体の非肌対向面側に配置されたバックシートを有し、
吸収性物品を折り畳むための第１折り線及び第２折り線が前記長手方向に沿って形成された吸収性物品であって、
前記トップシートは、前記幅方向の両側において、折り返し線によって折り返された折り返し部を有し、
前記折り返し線は、前記吸収体の外側縁よりも前記幅方向の外側に位置し、
前記折り返し部の先端は、前記吸収体の外側縁よりも前記幅方向の内側に位置し、
前記第１折り線及び前記第２折り線は、前記折り返し線よりも前記幅方向の外側に位置する、吸収性物品。
【００１１】
吸収性物品は、長手方向に沿う第１折り線及び第２折り線によって折り畳まれた状態において、第１折り線及び第２折り線によって折り畳まれていない展開した状態と比較して幅方向の長さが短くなり、コンパクトな携帯性を実現できる。また、使用者は、トップシートの幅方向の長さが吸収体の幅方向の長さよりも長いため、体液を引き込むトップシートの幅が広いことを認識でき、吸収性に対する安心感を得ることができる。よって、コンパクトな携帯性を実現しつつ、使用者が吸収性に対する安心感を得ることができる。
【００１２】
折り返し部の折り返し線は、吸収体の外側縁よりも幅方向の外側に位置し、折り返し部の先端は、吸収体の外側縁よりも幅方向の内側に位置する。よって、吸収体の外側縁よりも幅方向の外側には、少なくとも２層のトップシートが配置される。体液を引き込むトップシートの幅が広いことを認識でき、吸収性に対する安心感を得ることができる。吸収体の外側縁よりも幅方向の外側に２層のトップシートによる膨らみのある領域が形成され、使用者は、膨らみのある領域が好適に体液を引き込む印象を持ち、吸収性に対する安心感を得ることができる。
【００１３】
加えて、第１折り線及び第２折り線が、折り返し線よりも幅方向の外側に位置する。２層のトップシートによる膨らみのある領域には、第１折り線及び第２折り線による折り癖が形成されない。よって、トップシートの側端縁が折り癖によって立ち上がり難く、吸収体の側部がトップシートによって覆われることを抑制できる。使用者は、吸収体の側部を含んだ全域を視認することができ、吸収性に対する安心感を得ることができる。また、第１折り線及び第２折り線による折り癖が吸収体の側部に形成されない。よって、使用者は、吸収性物品を展開した際に、吸収体の側部を視認し、吸収体の実際の幅方向の長さを把握し、吸収性に対する安心感を得ることができる。
【００１４】
かかる吸収性物品であって、
前記折り返し線と前記吸収体の外側縁の間には、前記トップシート同士が厚さ方向において重なり、かつ前記トップシート同士が接合されていない領域が設けられていることが望ましい。
【００１５】
このような吸収性物品によれば、折り返し線と吸収体の外側縁の間に、トップシート同士が離れて配置される領域を設けることができる。当該領域では、トップシートの折り返し部が膨らんだ状態となり易く、折り返し部が配置された領域のトップシートの厚さが吸収体の厚さと略同じ又は吸収体の厚さよりも厚くなり易い。吸収性を有する吸収体と略同じ厚さが幅方向の外側に連続することにより、使用者は、吸収面積を広く認識し、吸収性に対する安心感を得ることができる。
【００１６】
かかる吸収性物品であって、
前記トップシートの前記折り返し部が前記バックシートに接合されていない領域を有することが望ましい。
【００１７】
トップシートの折り返し部がバックシートに接合されていない領域においては、トップシートとバックシートが厚さ方向に離れて配置され易く、トップシートの折り返し部が膨らんだ状態となり易い。折り返し部が配置された領域のトップシートの厚さは、吸収体の厚さと略同じ又は吸収体の厚さよりも厚くなり易い。吸収性を有する吸収体と略同じ厚さが幅方向の外側に連続することにより、使用者は、吸収面積を広く認識し、吸収性に対する安心感を得ることができる。
【００１８】
かかる吸収性物品であって、
前記折り返し線と前記吸収体の外側縁の間に配置される前記トップシートのうち肌対向面側に位置する前記トップシートのみには、肌面圧搾部が形成されていることが望ましい。
【００１９】
このような吸収性物品によれば、使用者は、肌面圧搾部によって体液の引き込み性が高いことを認識でき、吸収性に対する安心感を得ることができる。また、肌対向面側に位置するトップシートのみに肌面圧搾部が形成されているため、折り返し部において厚さ方向において重なるトップシート同士が肌面圧搾部によって接合されない。よって、折り返し部が配置された領域の膨らみを維持することができ、使用者は、吸収性に対する安心感を得ることができる。
【００２０】
かかる吸収性物品であって、
前記吸収体と前記トップシートに形成された吸収体圧搾部を有し、
前記肌面圧搾部の前記厚さ方向の深さは、前記吸収体圧搾部の前記厚さ方向の深さよりも浅いことが望ましい。
【００２１】
このような吸収性物品によれば、肌面圧搾部の厚さ方向の深さが吸収体圧搾部の厚さ方向の深さよりも浅いため、折り返し部が配置された領域の膨らみを維持することができ、使用者は、吸収性に対する安心感を得ることができる。
【００２２】
かかる吸収性物品であって、
前記吸収体と前記トップシートの間に設けられたセカンドシートを有し、
前記セカンドシートは、前記吸収体の外側縁よりも前記幅方向の外側に延出していることが望ましい。
【００２３】
このような吸収性物品によれば、吸収体の外側縁の幅方向の外側に、少なくとも２層のトップシートとセカンドシートが配置される。吸収体の外側縁よりも幅方向の外側に、３層のシートによる膨らみのある領域を設けることができる。使用者は、膨らみのある領域が好適に体液を引き込む印象を持ち、吸収性に対する安心感を得ることができる。
【００２４】
かかる吸収性物品であって、
前記セカンドシートは、前記折り返し線によって折り返された折り返し部を有することが望ましい。
【００２５】
このような吸収性物品によれば、吸収体の外側縁の幅方向の外側に、少なくとも２層のトップシートと、少なくとも２層のセカンドシートと、が積層された領域が設けられる。吸収体の外側縁よりも幅方向の外側に４層のシートによる膨らみのある領域を設けることができる。使用者は、膨らみのある領域が好適に体液を引き込む印象を持ち、吸収性に対する安心感を得ることができる。
【００２６】
＝＝＝本実施の形態に係る吸収性物品について＝＝＝
以下、図面を参照して、実施形態に係る吸収性物品について説明する。以下の実施形態では、吸収性物品の一例として使い捨ての生理用ナプキンについて説明する。
【００２７】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２８】
（１）吸収性物品の全体概略構成
図１は、一実施形態における吸収性物品の平面図である。図２は、図１に示すＡ−Ａ線に沿った吸収性物品の断面図である。
【００２９】
吸収性物品１は、互いに直交する長手方向Ｌと幅方向Ｗを有し、かつ着用者の肌対向面側Ｔ１から非肌対向面側Ｔ２へ延びる厚さ方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００３０】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後方に位置する。後側域Ｓ３の後端縁は吸収性物品１の後端縁を規定する。
【００３１】
吸収性物品１は、ウイング３及びヒップフラップ４を有する。ウイング３及びヒップフラップ４は、股下域Ｓ１における吸収体３０の外側縁３０Ｅよりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。ヒップフラップ４は、後側域Ｓ３に設けられている。
【００３２】
吸収性物品１は、トップシート１０、セカンドシート１５、バックシート２０及び吸収体３０を有する。トップシート１０は、吸収体３０よりも肌対向面側Ｔ１に設けられる。バックシート２０は、吸収体３０よりも非肌対向面側Ｔ２に設けられる。吸収体３０は、トップシート１０とバックシート２０との間に設けられる。
【００３３】
吸収体３０は、少なくとも股下域Ｓ１と後側域Ｓ３に配置されている。吸収体３０は、液体を吸収する吸収材料からなる吸収コア（図示せず）と、吸収コアを包むコアラップ（図示せず）と、を有する。吸収体３０とトップシート１０には、吸収体圧搾部３３が形成されている。吸収体圧搾部３３は、少なくともトップシート１０と吸収体３０を厚さ方向Ｔに圧搾することによって形成されている。トップシート１０と吸収体３０が一体になる吸収体圧搾部３３によって体液の引き込みが向上し、体液の漏れを防止できる。
【００３４】
トップシート１０は、体液等の液体を透過する液透過性のシートである。トップシート１０は、吸収体３０の肌対向面側を覆う。トップシート１０は、幅方向の両側において、折り返し線１２によって折り返された折り返し部１１を有する。折り返し部１１の構成については、後述にて詳細に説明する。
【００３５】
セカンドシート１５は、トップシート１０と吸収体３０の間に設けられている。セカンドシート１５は、吸収体３０の肌対向面側Ｔ１の少なくとも一部を覆う。本実施の形態のセカンドシート１５の幅方向Ｗの長さは、吸収体３０の幅方向Ｗの長さよりも短い。
【００３６】
バックシート２０は、メインシート２１と、サイドシート２２と、を有する。メインシート２１は、吸収性物品の全域に配置されており、厚さ方向の最も非肌対向面側に設けられている。サイドシート２２は、吸収性物品の外側縁から幅方向の内側に向かう一定の領域に設けられている。サイドシート２２は、厚さ方向Ｔにおいてトップシート１０の折り返し部１１とメインシート２１の間に配置されている。メインシート２１とサイドシート２２は、図示しない接合手段によって接合されている。なお、図２においては、バックシート２０と吸収体３０が厚さ方向に離間している状態で示しているが、本実施の形態のバックシート２０と吸収体３０は、図示しない接合手段によって接合されている。
【００３７】
（２）トップシートの折り返し部の詳細構成
次いで、トップシート１０の折り返し部１１について詳細に説明する。折り返し部１１は、トップシート１０が折り返し線１２にて非肌対向面側に向かって折り返されることによって形成されている。トップシート１０は、折り返し部１１と折り返し線１２間において幅方向に延びる（折り返されていない）部分と、が厚さ方向Ｔにおいて積層されている。トップシート１０は、折り返し部１１が設けられた領域において２層に重ねられている。トップシート１０は、折り返し線１２にて折り返されており、サイドシート２２等によって覆われていない。また、トップシート１０の幅方向の長さは、吸収体３０の幅方向の長さよりも長い。使用者は、体液を引き込むトップシート１０の幅を広く認識でき、吸収性に対する安心感を得ることができる。
【００３８】
折り返し部１１は、折り返し線１２から折り返し部１１の先端１１Ｅまでの部分である。折り返し線１２は、吸収体３０の外側縁３０Ｅよりも幅方向Ｗの外側に位置する。折り返し部１１の先端１１Ｅは、吸収体３０の外側縁３０Ｅより幅方向の内側に位置している。折り返し部１１の先端１１Ｅは、厚さ方向Ｔにおいて吸収体３０とバックシート２０の間に位置している。吸収体３０外側縁の幅方向Ｗの外側かつ折り返し線１２よりも幅方向Ｗの内側には、少なくとも２層のトップシート１０が配置される。２層のトップシートによる膨らみのある領域が吸収体３０の外側縁３０Ｅよりも幅方向Ｗの外側に形成される。使用者は、膨らみのある領域が好適に体液を引き込む印象を持ち、吸収性に対する安心感を得ることができる。
【００３９】
幅方向における折り返し線１２と吸収体３０の外側縁３０Ｅの間には、トップシート１０同士が厚さ方向において重なり、かつトップシート１０同士が接合されていない領域が設けられている。本実施の形態のトップシート１０は、折り返し線１２と吸収体３０の外側縁３０Ｅの間の全域に亘ってトップシート１０同士が重なり、かつトップシート１０同士が接合されていない。当該領域では、トップシート１０同士が離れて配置され、折り返し部１１が配置された領域に膨らみを持たせることができる。折り返し部１１が配置された領域の厚さは、吸収体３０の厚さと略同じ又は吸収体３０の厚さよりも厚くなり易い。吸収性を有する吸収体３０と略同じ厚さが幅方向の外側に連続することにより、使用者は、吸収面積を広く認識し、吸収性に対する安心感を得ることができる。なお、本実施の形態において２つの部材が重なる状態とは、２つの部材が当接して重なった状態のみならず、２つの部材の間に他の部材が配置され、２つの部材が間接的に重なった状態を含むものである。
【００４０】
折り返し部１１は、厚さ方向Ｔにおいてバックシート２０と対向して配置されている。吸収性物品１は、トップシート１０の折り返し部１１がバックシート２０に接合されていない領域を有する。折り返し部１１は、折り返し線１２と吸収体３０の外側縁３０Ｅの間の全域に亘ってバックシート２０に接合されていない。トップシート１０の折り返し部１１がバックシート２０に接合されていない領域では、トップシート１０とバックシート２０が厚さ方向Ｔに離れて配置され易く、折り返し部１１が配置された領域に膨らみを持たせることができる。折り返し部１１が配置された領域の厚さは、吸収体３０の厚さと略同じ又は吸収体の厚さよりも厚くなり易い。吸収性を有する吸収体３０と略同じ厚さが幅方向の外側に連続することにより、使用者は、吸収面積を広く認識し、吸収性に対する安心感を得ることができる。
【００４１】
折り返し線１２と吸収体３０の外側縁３０Ｅの間に配置されるトップシート１０のうち肌対向面側に位置するトップシート１０には、肌面圧搾部１４が形成されている。肌面圧搾部１４は、トップシート１０に形成された圧搾部であり、トップシート１０が厚さ方向に圧搾されることによって形成されている。本実施の形態において肌対向面側に位置するトップシート１０は、折り返されていないトップシート１０である。肌対向面側Ｔ１に位置するトップシート１０に肌面圧搾部１４が形成されていることにより、使用者は、肌面圧搾部１４によって体液の引き込み性が高いことを認識でき、吸収性に対する安心感を得ることができる。また、肌対向面側Ｔ１に位置するトップシート１０のみに肌面圧搾部１４が形成されているため、厚さ方向Ｔにおいて重なるトップシート１０同士が肌面圧搾部１４によって接合されない。よって、トップシート１０の折り返し部１１の膨らみを維持することができ、使用者は、吸収性に対する安心感を得ることができる。
【００４２】
肌面圧搾部１４の厚さ方向Ｔの深さは、吸収体圧搾部３３の厚さ方向Ｔの深さよりも浅い。肌面圧搾部１４の厚さ方向の深さが吸収体圧搾部３３の厚さ方向の深さよりも浅いため、肌面圧搾部による凹凸が浅く、折り返し部１１が配置された領域の膨らみを維持することができる。使用者は、吸収性に対する安心感を得ることができる。
【００４３】
なお、圧搾部の厚さ方向の深さは、圧搾部が形成されていない部分に対する圧搾部が形成された部分の凹みの深さであり、例えば、以下の方法によって測定できる。３次元測定器として、（株）キーエンス社製高精度形状測定システム(高精度ステージ：KS-1100を含む)と、高速・高精度CCDレーザー変位計(コントローラー：LK-G3000Vセット、センサヘッド：LK-G30を含む)とを用いる。測定対象の吸収性物品を水平面上に配置し、そのときの厚さ向の断面における表面の起伏の状態を輪郭として記録する。圧搾部による凹み形状が形成された部分の幅方向両端部を頂点とし、凹み形状の底面（圧搾部の底面）を底点とし、頂点と底点の差から深さを算出する。
【００４４】
（３）吸収性物品の折り畳み態様
吸収性物品１は、包装シート７０によって個別に包装されるように構成されている。図３は、吸収性物品１の折り畳み態様を説明するための図である。吸収性物品１は、折り畳まれる際に、吸収性物品１の非肌対向面と包装シート７０が対向するように、包装シート７０上に配置されている。吸収性物品１が包装シート７０上に配置された状態で、吸収性物品１の一方の外側縁と包装シート７０の一方の外側縁が、長手方向Ｌに沿った第１折り線ＦＬ１を基点に内側に折り返される（図３（ａ）参照）。吸収性物品が展開した展開状態（折り畳まれる前の状態）で第１折り線ＦＬ１を挟んで配置される領域（第１折り線ＦＬ１の両側の領域）は、折り畳まれた折り畳み状態で肌対向面同士が対向している。なお、肌対向面同士が対向している状態は、一方の肌対向面と他方の肌対向面とが向き合っている状態であり、一方の肌対向面と他方の肌対向面との間に他の部材が配置されている状態も含む概念である。
【００４５】
次いで、吸収性物品１の他方の外側縁と包装シート７０の他方の外側縁が、長手方向Ｌに沿った第２折り線ＦＬ２を基点に内側に折り返される（図３（ｂ）参照）。吸収性物品１が展開した展開状態（折り畳まれる前の状態）で第２折り線ＦＬ２を挟んで配置される領域（第２折り線ＦＬ２の両側の領域）は、折り畳まれた折り畳み状態で肌対向面同士が対向している。
【００４６】
次いで、第１折り線ＦＬ１及び第２折り線ＦＬ２によって折り畳まれた状態において、吸収性物品１の後端縁及び包装シート７０の後端縁が、幅方向Ｗに沿った第３折り線ＦＬ３を基点に内側に折り返される。次いで、吸収性物品１の前端縁及び包装シート７０の前端縁が、幅方向Ｗに沿った第４折り線ＦＬ４を基点に内側に折り返される（図３（ｃ）参照）。このように折り畳まれることにより、吸収性物品１は、幅方向の長さ及び長手方向の長さが短くなり、小型化される。よって、コンパクトな携帯性を実現できる。
【００４７】
このように折り畳まれた吸収性物品１を展開した展開状態において、吸収性物品１には、第１折り線ＦＬ１、第２折り線ＦＬ２、第３折り線ＦＬ３、及び第４折り線ＦＬ４による折り癖が形成されている。第１折り線ＦＬ１による折り癖及び第２折り線ＦＬ２による折り癖は、着用者に対して離れる折り癖となる。第１折り線ＦＬ１及び第２折り線ＦＬ２は、谷折りの折り線である。よって、展開状態において第１折り線ＦＬ１及び第２折り線ＦＬ２よりも幅方向の外側の領域は、第１折り線ＦＬ１及び第２折り線ＦＬ２を基点に起立する。
【００４８】
第１折り線ＦＬ１及び第２折り線ＦＬ２は、トップシート１０の折り返し線１２よりも幅方向Ｗの外側に位置する。第１折り線ＦＬ１及び第２折り線ＦＬ２は、メインシート２１とサイドシート２２の２層のみが配置された領域に形成されている。２層のトップシート１０による膨らみのある領域には、第１折り線ＦＬ１及び第２折り線ＦＬ２による折り癖が形成されていない。よって、トップシート１０の側部は、折り癖によって立ち上がり難く、吸収体の側部を覆い難い。使用者は、吸収体の側部を含んだ全域を視認することができ、吸収性に対する安心感を得ることができる。また、第１折り線ＦＬ１及び第２折り線ＦＬ２による折り癖が吸収体３０の側部に形成されない。よって、使用者は、吸収性物品１を展開した際に、吸収体の側部を視認し、吸収体の実際の幅方向の長さを把握し易い。よって、使用者が吸収性に対する安心感を得ることができる。
【００４９】
（４）変形例
次いで、図４に基づいて変形例に係る吸収性物品１Ａについて説明する。なお、変形例の説明において、上述の実施形態と同様の構成については同符号を用いて説明を省略する。変形例に係る吸収性物品１Ａのセカンドシート１５Ａは、吸収体３０の外側縁３０Ｅよりも幅方向Ｗの外側に延出している。セカンドシート１５Ａの幅方向Ｗの長さは、吸収体３０の幅方向Ｗの長さよりも長い。変形例に係る吸収性物品１Ａによれば、吸収体３０の外側縁３０Ｅの幅方向の外側に、少なくとも２層のトップシートと１層のセカンドシート１５が配置される。吸収体３０の外側縁３０Ｅよりも幅方向の外側に３層のシートによる膨らみのある領域を設けることができる。使用者は、膨らみのある領域が好適に体液を引き込む印象を持ち、吸収性に対する安心感を得ることができる。
【００５０】
変形例に係る吸収性物品１Ａのセカンドシート１５Ａは、折り返し部１５Ｂを有する。折り返し部１５Ｂは、セカンドシート１５Ａが折り返し線にて非肌対向面側に折り返されることによって形成されている。セカンドシート１５Ａは、折り返し部１５Ｂと折り返し線１２間において幅方向に延びる（折り返されていない）部分とが厚さ方向において積層されている。セカンドシート１５Ａは、折り返し部１５Ｂが設けられた領域において２層に重ねられている。
【００５１】
変形例に係る吸収性物品１Ａによれば、吸収体３０の外側縁３０Ｅの幅方向の外側に、少なくとも２層のトップシートと、少なくとも２層のセカンドシートと、が積層された領域が設けられる。吸収体３０の外側縁３０Ｅよりも幅方向の外側に、４層のシートによる膨らみのある領域を設けることができる。使用者は、膨らみのある領域が好適に体液を引き込む印象を持ち、吸収性に対する安心感を得ることができる。また、吸収体３０の外側縁３０Ｅよりも幅方向の外側に４層のシートが配置されているため、当該４層のシートによって体液を引き込むことができる。吸収性能が向上することにより、使用者は、より吸収性に対する安心感を得ることができる。
【００５２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５３】
１、１Ａ        ：吸収性物品
１０      ：トップシート
１１      ：折り返し部
１２      ：折り返し線
１４      ：肌面圧搾部
１５、１５Ａ      ：セカンドシート
２０      ：バックシート
２１      ：メインシート
２２      ：サイドシート
３０      ：吸収体
３３      ：吸収体圧搾部
Ｌ        ：長手方向
Ｗ        ：幅方向
Ｔ        ：厚さ方向
Ｓ１      ：股下域
Ｓ２      ：前側域
Ｓ３      ：後側域
【図１】
2018000302.tif 000003
【図２】
2018000302.tif 000004
【図３】
2018000302.tif 000005
【図４】
2018000302.tif 000006
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
長手方向、幅方向及び厚さ方向と、
吸収体、前記吸収体の肌対向面側に配置されたトップシート、前記吸収体の非肌対向面側に配置されたバックシートを有し、
吸収性物品を折り畳むための第１折り線及び第２折り線が前記長手方向に沿って形成された吸収性物品であって、
前記トップシートは、前記幅方向の両側において、折り返し線によって折り返された折り返し部を有し、
前記折り返し線は、前記吸収体の外側縁よりも前記幅方向の外側に位置し、
前記折り返し部の先端は、前記吸収体の外側縁よりも前記幅方向の内側に位置し、
前記第１折り線及び前記第２折り線は、前記折り返し線よりも前記幅方向の外側に位置し、
前記折り返し線と前記吸収体の外側縁の間の領域では、前記トップシート同士が当接するように厚さ方向に重なり、かつ前記トップシート同士が接合されていない、吸収性物品。
【請求項２】
前記折り返し部は、前記折り返し線と前記吸収体の外側縁との間の全域に亘って前記バックシートに接合されていない、請求項１に記載の吸収性物品。
【請求項３】
前記折り返し線と前記吸収体の外側縁の間に配置される前記トップシートのうち肌対向面側に位置する前記トップシートには、肌面圧搾部が形成されており、
前記折り返し線と前記吸収体の外側縁の間に配置される前記トップシートのうち非肌対向面側に位置するトップシートには、前記肌面圧搾部が形成されていない、請求項１又は請求項２に記載の吸収性物品。
【請求項４】
前記吸収体と前記トップシートに形成された吸収体圧搾部を有し、
前記肌面圧搾部の前記厚さ方向の深さは、前記吸収体圧搾部の前記厚さ方向の深さよりも浅い、請求項３に記載の吸収性物品。